(57)【要約】  【課題】  特にＤＶＤ＋ＲＷの光ディスクの書き込み回数を表示できるようにし、ユーザに光ディスクの寿命や交換時期を知らせることを可能にする光ディスク記録再生装置を提供する。  【解決手段】  ＤＶＤ＋ＲＷに対してＯＰＣが実行された後、ＤＶＤ＋ＲＷのＤＣＢに格納されているＯＰＣカウンタの値を読み出してメモリに一時退避させ、ＯＰＣカウンタの値に＋１を加算する。未だ一度も書き込んでいないＤＶＤ＋ＲＷの場合は、ＯＰＣカウンタの値は最初「０」になっているが、ＯＰＣが実行されたので、ＯＰＣカウンタの値は「１」加算されて「１」となる。光ディスク排出要求があると、前記加算されたＯＰＣカウンタの値にＤＣＢのＯＰＣカウンタの値を更新する。書き込み回数表示指示があると、ＤＣＢのＯＰＣカウンタの値を読み込み、ディスク書き込み回数として表示手段に表示させる。【選択図】      図６
2007095128.tif 000002
【特許請求の範囲】
【請求項１】
光ディスクに対して情報の記録／再生を行う光ディスク記録再生装置において、
装填された光ディスクがＤＶＤ＋ＲＷであると判定されたときに、光ピックアップの出
力レーザ光のパワーを最適パワーに設定するためのＯＰＣを実行するＯＰＣ実行手段と、
ＤＶＤ＋ＲＷの光ディスクのディスク内認識ゾーンのディスク・コントロール・ブロッ
クに格納され前記ＯＰＣの実行回数をカウントするＯＰＣカウンタであって、このＯＰＣ
カウンタの値をメモリに一時退避させるカウンタ値一時退避手段と、
前記ＯＰＣカウンタの値に＋１を加算する加算手段と、
前記ＯＰＣカウンタの値に＋１が加算された後、前記ＤＶＤ＋ＲＷの光ディスクに対す
る情報の記録が開始され、この後、記録停止された状態のときに光ディスク排出要求があ
ると、前記加算手段により加算されたＯＰＣカウンタの値に前記ディスク・コントロール
・ブロックのＯＰＣカウンタの値を更新するカウンタ値更新手段とを有すると共に、
書き込み回数表示指示が与えられ、装填されている光ディスクがＤＶＤ＋ＲＷであると
判定されたとき、前記ディスク・コントロール・ブロックのＯＰＣカウンタの値を読み込
むカウンタ値読み込み手段と、
前記読み込まれたＯＰＣカウンタの値をディスク書き込み回数として表示手段に表示さ
せるディスク書き込み回数表示手段とを有するシステムコントローラを備えたことを特徴
とする光ディスク記録再生装置。
【請求項２】
光ディスクに対して情報の記録／再生を行う光ディスク記録再生装置において、
光ピックアップの出力レーザ光のパワーを最適パワーに設定するためのＯＰＣの実行時
に、光ディスクの所定領域に格納されたＯＰＣカウンタの値を１増加させて、前記ＯＰＣ
カウンタの値を更新させ、前記光ディスクに対する情報の読み込み時に、書き込み回数表
示指示があった場合に、前記ＯＰＣカウンタの値をディスク書き込み回数として表示手段
に表示させるシステムコントローラを備えたことを特徴とする光ディスク記録再生装置。
【請求項３】
光ディスクに対して情報の記録／再生を行う光ディスク記録再生装置において、
光ピックアップの出力レーザ光のパワーを最適パワーに設定するためのＯＰＣの実行時
に、ＤＶＤ＋ＲＷの光ディスクの所定領域に格納されたＯＰＣカウンタの値を１増加させ
て、前記ＯＰＣカウンタの値を更新させ、前記ＤＶＤ＋ＲＷの光ディスクに対する情報の
読み込み時に、書き込み回数表示指示があった場合に、前記ＯＰＣカウンタの値をディス
ク書き込み回数として表示手段に表示させるシステムコントローラを備えたことを特徴と
する光ディスク記録再生装置。
【請求項４】
前記ＯＰＣカウンタが格納されるＤＶＤ＋ＲＷの光ディスクの所定領域とは、ディスク
内認識ゾーンのディスク・コントロール・ブロックであることを特徴とする請求項３に記
載の光ディスク記録再生装置。
【請求項５】
前記システムコントローラは、装填された光ディスクがＤＶＤ＋ＲＷであると判定され
たときにＯＰＣを実行するＯＰＣ実行手段と、前記ＯＰＣの実行回数をカウントする所定
領域のＯＰＣカウンタの値をメモリに一時退避させるカウンタ値一時退避手段と、前記Ｏ
ＰＣカウンタの値に＋１を加算する加算手段と、前記ＯＰＣカウンタの値に＋１が加算さ
れた後、前記ＤＶＤ＋ＲＷの光ディスクに対する情報の記録が開始され、この後、記録停
止された状態のときに光ディスク排出要求があると、前記加算手段により加算されたＯＰ
Ｃカウンタの値に前記ＤＶＤ＋ＲＷの光ディスクの所定領域のＯＰＣカウンタの値を更新
するカウンタ値更新手段とを有すると共に、書き込み回数表示指示が与えられ、装填され
ている光ディスクがＤＶＤ＋ＲＷであると判定されたとき、前記所定領域のＯＰＣカウン
タの値を読み込むカウンタ値読み込み手段と、前記読み込まれたＯＰＣカウンタの値をデ
ィスク書き込み回数として表示手段に表示させるディスク書き込み回数表示手段とを有す
ることを特徴とする請求項３に記載の光ディスク記録再生装置。
【発明の詳細な説明】
【技術分野】
【０００１】
本発明は、光ディスクに対して情報の記録／再生を行う光ディスク記録再生装置に関し
、特に、ＤＶＤ＋ＲＷの光ディスクの書き込み回数を表示することができる機能を有する
光ディスク記録再生装置に関する。
【背景技術】
【０００２】
近年、映画等のような大量の映像音声データなどの情報を記録することができる光ディ
スクであるＤＶＤ（デジタル・バーサタイル・ディスク）が普及しつつある。ＤＶＤの種
類としては、メーカ側で情報が記録され、ユーザ側では書き換えができないＤＶＤ−ＲＯ
Ｍ、ユーザ側で情報を１回だけ記録できるＤＶＤ−ＲやＤＶＤ＋Ｒ、ユーザ側で規定回数
書き換え可能なＤＶＤ−ＲＷやＤＶＤ＋ＲＷあるいはＤＶＤ−ＲＡＭなどが知られている
。これらのＤＶＤに記録された情報は、光ディスク再生装置（ＤＶＤプレイヤ）または光
ディスク記録再生装置（ＤＶＤレコーダ）で再生可能であり、ＤＶＤ−Ｒ、ＤＶＤ＋Ｒ、
ＤＶＤ−ＲＷ、ＤＶＤ＋ＲＷ、ＤＶＤ−ＲＡＭへの情報の記録は、光ディスク記録再生装
置で可能である。
【０００３】
ところで、ＤＶＤ−ＲＷやＤＶＤ＋ＲＷあるいはＤＶＤ−ＲＡＭなどの書き換え可能な
光ディスクでは、情報の書き換えを繰り返すと、媒質材料自体の特性劣化やトラッキング
ずれなど種々の原因により残存成分が増加し、結果として記録品質の低下を招くことにな
る。前記書き換え可能な光ディスクでは、アモルファスと結晶の状態変化を用いた相変化
記録方式が採用されているので、材料自体の記録特性劣化により、明らかに書き換え回数
に限界がある。この書き換え回数の限界を超えたこと、あるいはその限界に近いことを知
らずに書き換え動作を行うと、当該セクタのＳＮ比の大幅な低下や隣接トラックへのクロ
ストークの増加などにより、記録品質の低下を引き起こす。
【特許文献１】特開平２−１８７１４号公報
【特許文献２】特開平４−２１６３２２号公報
【特許文献３】特開２００１−３５０５９６号公報
【特許文献４】特開平９−３５４６６号公報
【特許文献５】特開平８−２２１９４９号公報
【発明の開示】
【発明が解決しようとする課題】
【０００４】
そこで、従来の光ディスク記録再生装置では、装填された光ディスクに対して、例えば
、単純にエラーレートを測定し、このエラーレートをディスプレイ装置に表示させるもの
があるが、書き換え可能な光ディスクに対する書き換え回数を表示させるものではないの
で、ユーザは、メディアの寿命や交換時期を知ることができず、ユーザにとっては不便で
あるという課題があった。
【０００５】
特許文献１の従来技術は、光ディスクに対する情報の書き換え回数を記録し、その書き
換え回数が規定回数以上の場合には表示ランプを点灯するようにしているが、書き換え可
能な光ディスクに対する書き換え回数を表示させて、メディアの寿命や交換時期を知らせ
るものではない。
【０００６】
特許文献２の従来技術は、光ディスク上のセクタの書き換え回数を記録し、その書き換
え回数を規定書換回数と比較し、その書き換え回数が規定回数以上の場合には別のセクタ
に記録するようにしているが、この従来技術も、書き換え可能な光ディスクに対する書き
換え回数を表示させて、メディアの寿命や交換時期を知らせるものではない。
【０００７】
特許文献３の従来技術は、記憶装置への通算書き込み回数を記憶し、この書き込み回数
が規定値を超えると信号を出すようにしているが、この記憶装置はハードディスクであっ
て、書き換え可能な光ディスクに対する書き換え回数を表示させて、メディアの寿命や交
換時期を知らせるものではない。
【０００８】
特許文献４の従来技術は、テープの録画動作回数を計数し、この回数が限度値を超える
と警報を出すようにしているが、書き換え可能な光ディスクに対する書き換え回数を表示
させて、メディアの寿命や交換時期を知らせるものではない。
【０００９】
特許文献５の従来技術は、光磁気ディスクの書き込み・消去回数を計数し、この回数が
所定値を超えると警報を出すようにしているが、書き換え可能な光ディスクに対する書き
換え回数を表示させて、メディアの寿命や交換時期を知らせるものではない。
【００１０】
本発明は、上記のような課題を解決するためになされたもので、書き換え可能な光ディ
スク（特にＤＶＤ＋ＲＷの光ディスク）の書き込み回数を表示できるようにすることによ
り、ユーザにメディア（光ディスク）の寿命や交換時期を知らせることを可能にする光デ
ィスク記録再生装置を提供することを目的とする。
【課題を解決するための手段】
【００１１】
上記目的を達成するために、請求項１の発明は、装填された光ディスクがＤＶＤ＋ＲＷ
であると判定されたときに、光ピックアップの出力レーザ光のパワーを最適パワーに設定
するためのＯＰＣ （Optimum Power Control）を実行するＯＰＣ実行手段と、ＤＶＤ＋Ｒ
Ｗの光ディスクのディスク内認識ゾーンのディスク・コントロール・ブロックに格納され
前記ＯＰＣの実行回数をカウントするＯＰＣカウンタであって、このＯＰＣカウンタの値
をメモリに一時退避させるカウンタ値一時退避手段と、前記ＯＰＣカウンタの値に＋１を
加算する加算手段と、前記ＯＰＣカウンタの値に＋１が加算された後、前記ＤＶＤ＋ＲＷ
の光ディスクに対する情報の記録が開始され、この後、記録停止された状態のときに光デ
ィスク排出要求があると、前記加算手段により加算されたＯＰＣカウンタの値に前記ディ
スク・コントロール・ブロックのＯＰＣカウンタの値を更新するカウンタ値更新手段とを
有すると共に、書き込み回数表示指示が与えられ、装填されている光ディスクがＤＶＤ＋
ＲＷであると判定されたとき、前記ディスク・コントロール・ブロックのＯＰＣカウンタ
の値を読み込むカウンタ値読み込み手段と、前記読み込まれたＯＰＣカウンタの値をディ
スク書き込み回数として表示手段に表示させるディスク書き込み回数表示手段とを有する
システムコントローラを備えたことを特徴とする光ディスク記録再生装置を提供する。
【００１２】
この構成において、装填された光ディスクがＤＶＤ＋ＲＷであると判定されたとき、Ｏ
ＰＣ実行手段はＯＰＣを実行する。ＯＰＣが実行された後、カウンタ値一時退避手段は、
光ディスク（ＤＶＤ＋ＲＷ）のディスク内認識ゾーンのディスク・コントロール・ブロッ
クに格納されているＯＰＣカウンタの値を読み出してメモリに一時退避させる。そして、
加算手段は、メモリに一時退避されたＯＰＣカウンタの値に＋１を加算する。未だ一度も
書き込んでいないＤＶＤ＋ＲＷの場合は、ディスク内認識ゾーンに格納されているＯＰＣ
カウンタの値は最初「０」になっているが、この光ディスク（ＤＶＤ＋ＲＷ）が初めて装
填されてからＯＰＣが実行されたので、ＯＰＣカウンタの値は「０」に「１」加算されて
「１」となる。この光ディスク（ＤＶＤ＋ＲＷ）への情報の記録が開始され、この後、記
録停止された後、光ディスク排出要求があると、カウンタ値更新手段は、加算手段により
加算されたＯＰＣカウンタの値にディスク内認識ゾーンのディスク・コントロール・ブロ
ックのＯＰＣカウンタの値を更新する。
【００１３】
光ディスクが装填された後、書き込み回数表示指示がされ、その光ディスクがＤＶＤ＋
ＲＷであると判定されると、カウンタ値読み込み手段は、ディスク・コントロール・ブロ
ックのＯＰＣカウンタの値を読み込み、ディスク書き込み回数表示手段は、前記読み込ま
れたＯＰＣカウンタの値をディスク書き込み回数として表示手段に表示させる。
【００１４】
この構成によれば、書き換え可能な光ディスク（特にＤＶＤ＋ＲＷの光ディスク）の書
き込み回数を表示できるようになり、ユーザに光ディスクの寿命や交換時期を知らせるこ
とを可能になる。即ち、現在使用している光ディスクが何回書き込みを行っているかと言
うことをディスプレイ装置などに表示することにより、ユーザに対して光ディスクの寿命
や交換時期を知らせることができ、ユーザにとっては便利になる。
【００１５】
請求項２の発明は、光ピックアップの出力レーザ光のパワーを最適パワーに設定するた
めのＯＰＣの実行時に、光ディスクの所定領域に格納されたＯＰＣカウンタの値を１増加
させて、前記ＯＰＣカウンタの値を更新させ、前記光ディスクに対する情報の読み込み時
に、書き込み回数表示指示があった場合に、前記ＯＰＣカウンタの値を光ディスク書き込
み回数として表示手段に表示させるシステムコントローラを備えたことを特徴とする光デ
ィスク記録再生装置を提供する。
【００１６】
この構成において、ＯＰＣの実行時には、光ディスクの所定領域に格納されたＯＰＣカ
ウンタの値が１増加されて、前記ＯＰＣカウンタの値が更新され、前記光ディスクに対す
る情報の読み込み時に、書き込み回数表示指示があった場合に、前記ＯＰＣカウンタの値
が光ディスク書き込み回数として表示手段に表示される。
【００１７】
この構成によれば、書き換え可能な光ディスクの書き込み回数を表示できるようになり
、ユーザに光ディスクの寿命や交換時期を知らせることを可能になる。即ち、現在使用し
ている光ディスクが何回書き込みを行っているかと言うことをディスプレイ装置などに表
示することにより、ユーザに対して光ディスクの寿命や交換時期を知らせることができ、
ユーザにとっては便利になる。
【００１８】
請求項３の発明は、光ピックアップの出力レーザ光のパワーを最適パワーに設定するた
めのＯＰＣの実行時に、ＤＶＤ＋ＲＷの光ディスクの所定領域に格納されたＯＰＣカウン
タの値を１増加させて、前記ＯＰＣカウンタの値を更新させ、前記ＤＶＤ＋ＲＷの光ディ
スクに対する情報の読み込み時に、書き込み回数表示指示があった場合に、前記ＯＰＣカ
ウンタの値をディスク書き込み回数として表示手段に表示させるシステムコントローラを
備えたことを特徴とする光ディスク記録再生装置を提供する。
【００１９】
この構成において、光ピックアップの出力レーザ光のパワーを最適パワーに設定するた
めのＯＰＣの実行時には、ＤＶＤ＋ＲＷの光ディスクの所定領域に格納されたＯＰＣカウ
ンタの値が１増加され、前記ＯＰＣカウンタの値が更新され、前記ＤＶＤ＋ＲＷの光ディ
スクに対する情報の読み込み時に、書き込み回数表示指示があった場合に、前記ＯＰＣカ
ウンタの値がディスク書き込み回数として表示手段に表示される。
【００２０】
この構成によれば、書き換え可能な光ディスク（特にＤＶＤ＋ＲＷの光ディスク）の書
き込み回数を表示できるようになり、ユーザに光ディスクの寿命や交換時期を知らせるこ
とを可能になる。即ち、現在使用している光ディスクが何回書き込みを行っているかと言
うことをディスプレイ装置などに表示することにより、ユーザに対して光ディスクの寿命
や交換時期を知らせることができ、ユーザにとっては便利になる。
【００２１】
請求項４の発明では、請求項３の発明において、前記ＯＰＣカウンタが格納されるＤＶ
Ｄ＋ＲＷの光ディスクの所定領域とは、ディスク内認識ゾーンのディスク・コントロール
・ブロックであるので、空き領域を利用してＯＰＣカウンタを格納することができる。
【００２２】
請求項５の発明では、請求項３の発明において、前記システムコントローラは、装填さ
れた光ディスクがＤＶＤ＋ＲＷであると判定されたときにＯＰＣを実行するＯＰＣ実行手
段と、前記ＯＰＣの実行回数をカウントする所定領域のＯＰＣカウンタの値をメモリに一
時退避させるカウンタ値一時退避手段と、前記ＯＰＣカウンタの値に＋１を加算する加算
手段と、前記ＯＰＣカウンタの値に＋１が加算された後、前記ＤＶＤ＋ＲＷの光ディスク
に対する情報の記録が開始され、この後、記録停止された状態のときに光ディスク排出要
求があると、前記加算手段により加算されたＯＰＣカウンタの値に前記ＤＶＤ＋ＲＷの光
ディスクの所定領域のＯＰＣカウンタの値を更新するカウンタ値更新手段とを有すると共
に、書き込み回数表示指示が与えられ、装填されている光ディスクがＤＶＤ＋ＲＷである
と判定されたとき、前記所定領域のＯＰＣカウンタの値を読み込むカウンタ値読み込み手
段と、前記読み込まれたＯＰＣカウンタの値をディスク書き込み回数として表示手段に表
示させるディスク書き込み回数表示手段とを有する。
【００２３】
したがって、前記システムコントローラは、ＯＰＣ実行処理、カウンタ値一時退避処理
、加算処理、カウンタ値更新処理、カウンタ値読み込み処理、およびディスク書き込み回
数表示処理を実現でき、これにより、書き換え可能な光ディスク（特にＤＶＤ＋ＲＷの光
ディスク）の書き込み回数を表示できるようになる。
【発明の効果】
【００２４】
以上のように本発明によれば、装填された光ディスクがＤＶＤ＋ＲＷであると判定され
たときに、光ピックアップの出力レーザ光のパワーを最適パワーに設定するためのＯＰＣ
を実行するＯＰＣ実行手段と、ＤＶＤ＋ＲＷの光ディスクのディスク内認識ゾーンのディ
スク・コントロール・ブロックに格納され前記ＯＰＣの実行回数をカウントするＯＰＣカ
ウンタであって、このＯＰＣカウンタの値をメモリに一時退避させるカウンタ値一時退避
手段と、前記ＯＰＣカウンタの値に＋１を加算する加算手段と、前記ＯＰＣカウンタの値
に＋１が加算された後、前記ＤＶＤ＋ＲＷの光ディスクに対する情報の記録が開始され、
この後、記録停止された状態のときに光ディスク排出要求があると、前記加算手段により
加算されたＯＰＣカウンタの値に前記ディスク・コントロール・ブロックのＯＰＣカウン
タの値を更新するカウンタ値更新手段とを有すると共に、書き込み回数表示指示が与えら
れ、装填されている光ディスクがＤＶＤ＋ＲＷであると判定されたとき、前記ディスク・
コントロール・ブロックのＯＰＣカウンタの値を読み込むカウンタ値読み込み手段と、前
記読み込まれたＯＰＣカウンタの値をディスク書き込み回数として表示手段に表示させる
ディスク書き込み回数表示手段とを有するシステムコントローラを備えたので、書き換え
可能な光ディスク（特にＤＶＤ＋ＲＷの光ディスク）の書き込み回数を表示できるように
なり、ユーザに光ディスクの寿命や交換時期を知らせることを可能になる。即ち、現在使
用している光ディスクが何回書き込みを行っているかと言うことをディスプレイ装置など
に表示することにより、ユーザに対して光ディスクの寿命や交換時期を知らせることがで
き、ユーザにとっては便利になる。
【００２５】
また、本発明によれば、光ピックアップの出力レーザ光のパワーを最適パワーに設定す
るためのＯＰＣの実行時に、光ディスクの所定領域に格納されたＯＰＣカウンタの値を１
増加させて、前記ＯＰＣカウンタの値を更新させ、前記光ディスクに対する情報の読み込
み時に、書き込み回数表示指示があった場合に、前記ＯＰＣカウンタの値を光ディスク書
き込み回数として表示手段に表示させるシステムコントローラを備えたので、書き換え可
能な光ディスクの書き込み回数を表示できるようになり、ユーザに光ディスクの寿命や交
換時期を知らせることを可能になる。即ち、現在使用している光ディスクが何回書き込み
を行っているかと言うことをディスプレイ装置などに表示することにより、ユーザに対し
て光ディスクの寿命や交換時期を知らせることができ、ユーザにとっては便利になる。
【００２６】
また、本発明によれば、光ピックアップの出力レーザ光のパワーを最適パワーに設定す
るためのＯＰＣの実行時に、ＤＶＤ＋ＲＷの光ディスクの所定領域に格納されたＯＰＣカ
ウンタの値を１増加させて、前記ＯＰＣカウンタの値を更新させ、前記ＤＶＤ＋ＲＷの光
ディスクに対する情報の読み込み時に、書き込み回数表示指示があった場合に、前記ＯＰ
Ｃカウンタの値をディスク書き込み回数として表示手段に表示させるシステムコントロー
ラを備えたので、書き換え可能な光ディスク（特にＤＶＤ＋ＲＷの光ディスク）の書き込
み回数を表示できるようになり、ユーザに光ディスクの寿命や交換時期を知らせることを
可能になる。即ち、現在使用している光ディスクが何回書き込みを行っているかと言うこ
とをディスプレイ装置などに表示することにより、ユーザに対して光ディスクの寿命や交
換時期を知らせることができ、ユーザにとっては便利になる。
【発明を実施するための最良の形態】
【００２７】
以下、添付図面を参照しつつ、本発明の実施の形態について説明する。図１は本発明の
一実施形態に係る光ディスク記録再生装置の構成を示すブロック図である。
【００２８】
この光ディスク記録再生装置は、光ディスク１を回転させるスピンドルモータ５と、光
ディスク１に対して情報の記録／再生を行うためのレーザ光を出射すると共に光ディスク
１からの反射光を受光する光ピックアップ２と、この光ピックアップ２を光ディスク１の
半径方向に移動させるためのスレッド３と、システムコントローラ２２の指示に応じてス
ピンドルモータ５およびスレッド３を駆動すると共に光ピックアップ２に内蔵された対物
レンズ（図示せず）を動かすことによりレーザ光の焦点位置を光ディスク１の記録面に対
して垂直方向および水平方向に移動させる制御を行ったり、光ピックアップ２の出力レー
ザパワーの制御を行ったりするサーボ制御部４とを備えている。
【００２９】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理とＥＣＣエラー訂正処理を行って生成したデータをＲＡＭ７に格納するデジタ
ル信号処理部８と、システムコントローラ２２の指示に応じてデジタル信号処理部８から
出力されたデータストリームの中からオーディオデータとサブピクチャデータとビデオデ
ータとを分離するストリーム分離部９とを備えている。
【００３０】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００３１】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して図示しない音声回路を介して例えばスピーカ１９に供給するＤ／Ａ変換器
１６とを備えている。
【００３２】
また、この光ディスク記録再生装置は、システムコントローラ２２に対して赤外線信号
により、再生指示を与えるための再生キー、記録指示を与えるための記録キー、再生停止
や記録停止を指示するための停止キー、および電源キーなどの各種操作キーを有するリモ
コン２１と、装置全体を制御する前記システムコントローラ２２とを備えている。
【００３３】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４と、このＣＰＵ２４の処理に必要なデータを一時的に格納するＲ
ＡＭ２７とを備えている。
【００３４】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００３５】
システムコントローラ２２は、本実施形態の特徴として、装填された光ディスク１がＤ
ＶＤ＋ＲＷであると判定されたときに、光ピックアップ２の出力レーザ光のパワーを最適
パワーに設定するためのＯＰＣを実行するＯＰＣ実行手段２２１と、ＤＶＤ＋ＲＷの光デ
ィスク１のディスク内認識ゾーンのディスク・コントロール・ブロック（ＤＣＢ）に格納
され前記ＯＰＣの実行回数をカウントするＯＰＣカウンタであって、このＯＰＣカウンタ
の値をＲＡＭ２７に一時退避させるカウンタ値一時退避手段２２２と、前記ＯＰＣカウン
タの値に＋１を加算する加算手段２２３と、前記ＯＰＣカウンタの値に＋１が加算された
後、前記ＤＶＤ＋ＲＷの光ディスク１に対する情報の記録が開始され、この後、記録停止
された状態のときに光ディスク排出要求があると、前記加算手段２２３により加算された
ＯＰＣカウンタの値に前記ディスク・コントロール・ブロックのＯＰＣカウンタの値を更
新するカウンタ値更新手段２２４とを有する。
【００３６】
また、システムコントローラ２２は、書き込み回数表示指示が与えられ、装填されてい
る光ディスク１がＤＶＤ＋ＲＷであると判定されたとき、前記ディスク・コントロール・
ブロックのＯＰＣカウンタの値を読み込むカウンタ値読み込み手段２２５と、前記読み込
まれたＯＰＣカウンタの値をディスク書き込み回数として表示手段としてのディスプレイ
装置２０または／および本体表示部（図示せず）に表示させるディスク書き込み回数表示
手段２２６とを有する。
【００３７】
図２は本実施形態においてＤＶＤ＋ＲＷの記録領域のレイアウトを説明するための図で
ある。図２において、記述はゾーン（Zone）の記述名称を示し、公称半径（ｍｍ）は当該
ゾーンが開始する位置のディスク半径を示す。また、最初の物理セクタＰＳＮ（ｈ）は当
該ゾーンにおける最初の物理セクタのアドレスを示し、物理セクタの数は当該ゾーンにお
ける物理セクタの個数を示す。Lead-in 領域には、Initial Zone , Inner Disc Test Zon
e , Inner Drive Test Zone  , Guard Zone 1 , Reserved Zone 1  , Reserved Zone 2  
, Inner Disc Identification Zone , Reserved Zone 3 , Reference Code Zone  , Buff
er Zone 1  , Control Data Zone  , Buffer Zone 2  が設けられている。Data 領域には
、Data Zone  が設けられている。Lead-out 領域には、Buffer Zone 3  ,  Outer Disc I
dentification Zone , Guard Zone 2 , Reserved Zone 4  ,  Outer Drive Test Zone , 
Outer Disc Test Zone , Guard Zone 3 が設けられている。これらのゾーンのうち、本実
施形態の特徴として注目すべき点は、Inner Disc Identification Zone （ディスク内認
識ゾーン） にはＯＰＣカウンタが格納されていることである。
【００３８】
図３は前記Lead-in 領域に含まれる各ゾーンの物理セクタの個数を説明するための図で
ある。図３において、Initial Zone では、すべての物理セクタは００ｈをセットしたメ
インデータを持つ。Inner Disc Test Zone は２０４８個の物理セクタを有し、Inner Dri
ve Test Zone は１２２８８個の物理セクタを有する。Guard Zone 1 は ００ｈをセット
したメインデータを持つ５１２個の物理セクタを有する。Reserved Zone 1 は４０９６個
の物理セクタを有し、Reserved Zone 2  は６４個の物理セクタを有する。Inner Disc Id
entification Zone は２５６個の物理セクタを有し、Reserved Zone 3 は６４個の物理セ
クタを有する。Reference Code Zone は３２個の物理セクタを有する。Buffer Zone 1 で
は、４８０個の物理セクタを有し、００ｈをセットしたメインデータを持つ。Control Da
ta Zone は３０７２個の物理セクタを有する。Buffer Zone 2 では、５１２個の物理セク
タを有し、００ｈをセットしたメインデータを持つ。
【００３９】
図４は前記Inner Disc Identification Zone  においてメインデータの位置と記述とバ
イト数を説明するための図である。図４において、Ｄ０〜Ｄ３は、０バイト目〜３バイト
目のメインデータであり、４バイトの内容記述子を示すデータである。Ｄ４〜Ｄ７は、４
バイト目〜７バイト目のメインデータであり、４バイトの不明な内容記述子の動作を示す
データである。Ｄ８〜Ｄ３９は、８バイト目〜３９バイト目のメインデータであり、３２
バイトのドライブＩＤを示すデータである。Ｄ４０〜Ｄ４３は、４０バイト目〜４３バイ
ト目のメインデータであり、４バイトのＦＤＣＢ更新カウントを示すデータである。Ｄ４
４〜Ｄ４７は、４４バイト目〜４７バイト目のメインデータであり、４バイトのフォーマ
ッティング状態とモードを示すデータである。Ｄ４８〜Ｄ５１は、４８バイト目〜５１バ
イト目のメインデータであり、４バイトの最終ライトアドレスを示すデータである。
【００４０】
Ｄ５２〜Ｄ５５は、５２バイト目〜５５バイト目のメインデータであり、４バイトの最
終ベリファイアドレスを示すデータである。Ｄ５６〜Ｄ５９は、５６バイト目〜５９バイ
ト目のメインデータであり、４バイトのビットマップ開始アドレスを示すデータである。
Ｄ６０〜Ｄ６３は、６０バイト目〜６３バイト目のメインデータであり、４バイトのビッ
トマップ長を示すデータである。Ｄ６４〜Ｄ９５は、６４バイト目〜９５バイト目のメイ
ンデータであり、３２バイトのディスクＩＤを示すデータである。
【００４１】
Ｄ９６〜Ｄ１２７は、９６バイト目〜１２７バイト目のメインデータであり、３２バイ
トのアプリケーション依存を示すデータである。Ｄ１２８〜Ｄ１９１は、１２８バイト目
〜１９１バイト目のメインデータであり、６１〜６４バイトのＤＣＢのリストを示すデー
タである。Ｄ１９２〜Ｄ２０４７は、１９２バイト目〜２０４７バイト目のメインデータ
であり、Reserved:00hにセットされた１８５６バイトのデータである。Ｄ０〜Ｄ２０４７
は、０バイト目〜２０４７バイト目のメインデータに対してフォーマットビットマップを
示すデータであり、９×２０４７バイトから成る。Ｄ０〜Ｄ３０４７は、０バイト目〜３
０４７バイト目のメインデータに対してReserved:00hにセットされたデータであり、６×
２０４８バイトから成る。
【００４２】
このようなInner Disc Identification Zoneでは、データ交換相手に対する情報同意の
ために２５６個の物理セクタが予約されている。ＥＣＣブロック一つに付き１６個の物理
セクタのそれぞれのセットはＤＣＢ（Disc Control Block）であるか、全て００ｈのメイ
ンデータが記録されているかのどちらかである。
【００４３】
図５はInner Disc Identification ZoneにおいてＯＰＣカウンタの情報が格納される位
置を説明するための図である。図５に示すように、ＯＰＣカウンタの値は、メインデータ
の１９２バイト目と１９３バイト目に格納される。即ち、図４では、Ｄ１９２〜Ｄ２０４
７におけるReserved:00hにセットされた１８５６バイトのデータのうち、Ｄ１９２のメイ
ンデータとＤ１９３のメインデータがＯＰＣカウンタを示すデータとなる。
【００４４】
図６は本実施形態においてＤＶＤ＋ＲＷの書き込み回数を表示させるまでに行われる処
理においてＯＰＣカウンタの値を更新させる処理を説明するためのフローチャートである
。このフローチャートおよび図１〜図５を参照してＤＶＤ＋ＲＷの書き込み回数を表示さ
せるまでに行われる処理においてＯＰＣカウンタの値を更新させる処理について説明する
。
【００４５】
先ず、光ディスク１が装填されると、システムコントローラ２２は、光ディスク１の装
填を検知し（ステップＳ１）、光ディスク１を少し回転させると共に光ピックアップ２を
駆動させ、Control Data Zone（図２参照） からディスク情報を読み出す処理である所謂
マウント処理を行って（ステップＳ２）、ディスク情報から光ディスク１はＤＶＤ＋ＲＷ
であるか否かを判定する（ステップＳ３）。光ディスク１がＤＶＤ＋ＲＷでないと判定さ
れたときは、該当光ディスク１に応じた処理が行われるが（ステップＳ１３）、光ディス
ク１がＤＶＤ＋ＲＷであると判定されたときは、システムコントローラ２２のＯＰＣ実行
手段２２１は、光ピックアップ２の出力レーザ光のパワーを最適パワーに設定するための
ＯＰＣを、サーボ制御部４を制御して実行する（ステップＳ４）。
【００４６】
ＯＰＣが実行された後、システムコントローラ２２のカウンタ値一時退避手段２２２は
、光ディスク（ＤＶＤ＋ＲＷ）１の Inner Disc Identification Zone （図２〜図５参照
）のディスク・コントロール・ブロックに格納されているＯＰＣカウンタの値を読み出し
てＲＡＭ２７に一時退避させる（ステップＳ５）。そして、システムコントローラ２２の
加算手段２２３は、ＲＡＭ２７に一時退避されたＯＰＣカウンタの値に＋１を加算する（
ステップＳ６）。未だ一度も書き込んでいないＤＶＤ＋ＲＷの場合は、Inner Disc Ident
ification Zone （図２〜図５参照）のディスク・コントロール・ブロックに格納されて
いるＯＰＣカウンタの値は最初「０」になっているが、このＤＶＤ＋ＲＷが初めて装填さ
れてからＯＰＣが実行されたので、ＯＰＣカウンタの値は「０」に「１」加算され「１」
となる。
【００４７】
この後、リモコン２１の記録キーが押下されることによる記録指示、あるいは予約記録
（予約録画）の記録開始時刻の到達による記録指示があったとき（ステップＳ７）、これ
に応答してシステムコントローラ２２は、サーボ制御部４を介してスピンドルモータ５を
回転させることにより光ディスク１を回転させると共に光ピックアップ２を駆動させ、ま
た、記録データ変調回路２５およびレーザ変調回路２６を駆動させ、光ディスク（ＤＶＤ
＋ＲＷ）１に対して情報の記録処理を開始する（ステップＳ８）。
【００４８】
次に、リモコン２１の停止キーが押下されることによる記録停止指示、あるいは予約記
録（予約録画）の記録終了時刻の到達による記録停止指示があったとき（ステップＳ９）
、システムコントローラ２２は、光ディスク（ＤＶＤ＋ＲＷ）１に対する情報の記録を停
止させる（ステップＳ１０）。このように光ディスク（ＤＶＤ＋ＲＷ）１に対する情報の
記録停止がされた後、この状態においてリモコン２１のトレイ開閉キーが押下されること
により、光ディスク排出要求があると（ステップＳ１１）、システムコントローラ２２の
カウンタ値更新手段２２４は、加算手段２２３により加算されたＯＰＣカウンタの値に I
nner Disc Identification Zone のディスク・コントロール・ブロックのＯＰＣカウンタ
の値を更新する（ステップＳ１２）。
【００４９】
例えば、光ディスク（ＤＶＤ＋ＲＷ）１に対して初めて情報を書き込んだときは、Inne
r Disc Identification Zone  のディスク・コントロール・ブロックのＯＰＣカウンタの
値は「１」になり、書き込み回数が１回であることを示し、次に、光ディスク（ＤＶＤ＋
ＲＷ）１に対して情報を書き込んだときは（書き換えたときは）、Inner Disc Identific
ation Zone  のディスク・コントロール・ブロックのＯＰＣカウンタの値は「２」になり
、書き込み回数が２回であることを示し、更に、同じく光ディスク（ＤＶＤ＋ＲＷ）１に
対して情報を書き込んだときは（書き換えたときは）、Inner Disc Identification Zone
のディスク・コントロール・ブロックのＯＰＣカウンタの値は「３」になり、書き込み
回数が３回であることを示す。
【００５０】
図７は本実施形態において書き込み回数を表示させる場合の処理を説明するためのフロ
ーチャートである。このフローチャートおよび図１〜図５を参照して書き込み回数を表示
させる場合の処理について説明する。
【００５１】
先ず、光ディスク１が装填された後、リモコン２１を操作してディスプレイ装置２０に
メニュー画面を表示させ、書き込み回数表示指示がされると、システムコントローラ２２
は、書き込み回数表示指示があったことを検知し（ステップＮ１）、その光ディスク１が
ＤＶＤ＋ＲＷであるか否かをディスク情報により判定し（ステップＮ２）、システムコン
トローラ２２のカウンタ値読み込み手段２２５は、光ピックアップ２、ＲＦアンプ６、お
よびデジタル信号処理部８を介して、光ディスク（ＤＶＤ＋ＲＷ）１の Inner Disc Iden
tification Zone のディスク・コントロール・ブロックのＯＰＣカウンタの値を読み込み
（ステップＮ３）、ディスク書き込み回数表示手段２２６は、前記読み込まれたＯＰＣカ
ウンタの値をＯＳＤ処理し、ビデオエンコーダ１８を介してディスプレイ装置２０に表示
させる（ステップＮ４）。
【００５２】
ＯＰＣカウンタの値が例えば９６５であれば、この９６５が当該光ディスクの書き込み
回数としてディスプレイ装置２０に表示される。ディスプレイ装置２０には、例えば、「
このディスクは、書き込み回数の制限が約１０００回で、現在の書き込み回数が９６５回
になっていますので、そろそろ書き込みができない時期に近づいていますので、新しいデ
ィスクと交換して下さい。」というようなメッセージ、あるいは単に「書き込み回数；９
６５」などがディスプレイ装置２０に表示される。
【００５３】
以上説明したように本実施形態によれば、書き換え可能な光ディスク（特にＤＶＤ＋Ｒ
Ｗの光ディスク）の書き込み回数を表示できるようになり、ユーザに光ディスクの寿命や
交換時期を知らせることを可能になる。即ち、現在使用している光ディスクが何回書き込
みを行っているかと言うことをディスプレイ装置などに表示することにより、ユーザに対
して光ディスクの寿命や交換時期を知らせることができ、ユーザにとっては便利になる。
【図面の簡単な説明】
【００５４】
【図１】本発明の一実施形態に係る光ディスク記録再生装置の構成を示すブロック図である。
【図２】前記実施形態においてＤＶＤ＋ＲＷの記録領域のレイアウトを説明するための図である。
【図３】図２のLead-in 領域に含まれる各ゾーンの物理セクタの個数を説明するための図である。
【図４】図２または図３のInner Disc Identification Zone  においてメインデータの位置と記述とバイト数を説明するための図である。
【図５】図２または図３または図４のInner Disc Identification ZoneにおいてＯＰＣカウンタの情報が格納される位置を説明するための図である。
【図６】前記実施形態においてＤＶＤ＋ＲＷの書き込み回数を表示させるまでに行われる処理においてＯＰＣカウンタの値を更新させる処理を説明するためのフローチャートである。
【図７】前記実施形態において書き込み回数を表示させる場合の処理を説明するためのフローチャートである。
【符号の説明】
【００５５】
１    光ディスク
２    光ピックアップ
２０    ディスプレイ装置（表示手段）
２２    システムコントローラ
２７    ＲＡＭ（メモリ）
２２１    ＯＰＣ実行手段
２２２    カウンタ値一時退避手段
２２３    加算手段
２２４    カウンタ値更新手段
２２５    カウンタ値読み込み手段
２２６    ディスク書き込み回数表示手段
【図１】
2007095128.tif 000003
【図２】
2007095128.tif 000004
【図３】
2007095128.tif 000005
【図４】
2007095128.tif 000006
【図５】
2007095128.tif 000007
【図６】
2007095128.tif 000008
【図７】
2007095128.tif 000009